(57)【要約】【課題】製作が容易で安価に製造でき、また、その構造も簡単な把手付きボトルを提案する。【解決手段】指挿通用の凹部４を備えた胴部２の外周に、指挿通用の凹部４と窓孔30を対応させて固定した窓孔30付きの固定帯Ｃにより、窓孔30に把持部20を臨ませた状態で胴部２との間に板状の把手Ｂを固定した。【選択図】図１
2008081200.tif 000002
【特許請求の範囲】
【請求項１】
指挿通用の凹部４を備えた胴部２外周に、指挿通用の凹部４と窓孔30を対応させて固定した窓孔30付きの固定帯Ｃにより、窓孔30に把持部20を臨ませた状態で胴部２との間に板状の把手Ｂを固定してなることを特徴とする把手付きボトル。
【請求項２】
前記胴部２に凹設した上下一対の把手嵌合用の凹部５に把手Ｂの上下端部を嵌合してなる請求項１記載の把手付きボトル。
【請求項３】
胴部２外周に固定した窓孔30付きの固定帯Ｃにより、窓孔30に把持部20を臨ませた状態でその上下端部を固定帯Ｃの上下端縁よりそれぞれ上下に突出して胴部２との間に板状の把手Ｂを固定し、把持部20を窓孔30外方に膨出変形させて把持部20上下端に設けた係合突片23をそれぞれ固定帯Ｃの上端縁及び下端縁に係合させたことを特徴とする把手付きボトル。
【請求項４】
上記係合突片23を、上記把持部20の上下端部両側に一対突設し、固定帯Ｃの上端縁外面及び下端縁外面にそれぞれ係合する係合突片23として構成してなる請求項３記載の把手付きボトル。
【請求項５】
前記把持部20に折り曲げ用の屈折線24を設けてなる請求項３又は請求項４のいずれかに記載の把手付きボトル。
【請求項６】
前記窓孔30が、前記固定帯Ｃに設けた易切断性の破断線31を押圧破断することにより形成される如く構成した請求項１乃至請求項５のいずれかに記載の把手付きボトル。
【請求項７】
窓孔30対応位置のボトル胴部２に破断線開封用の凹部10を設けてなる請求項６記載の把手付きボトル。
【請求項８】
前記固定帯Ｃがシュリンクシート又はフィルムで形成されてなる請求項１乃至請求項７のいずれかに記載の把手付きボトル。
【発明の詳細な説明】
【技術分野】
【０００１】
本発明は把手付きボトルに関する。
【背景技術】
【０００２】
ペットボトルに代表されるような合成樹脂製のボトルには通常把手はないが、必要に応じて把手の付いたものも使用されている。（例えば、特許文献１参照）。
【０００３】
把手はボトルと一体に形成されたものや、把手と別体に形成されたものが種々使用されているが、前者は製造コストが高くなる傾向があり、その点を考慮して上記特許文献１の如く別体の把手を備えたものが提案されている。このボトルは、ボトル首部に装着可能なＣ型先端開口を有する横方向延在アーム部と、それと一体に成形されている縦方向延在基部と、縦方向延在基部に同様に一体成形され、並列に縦方向に延在する把手部と、ボトル胴部をかかえ込み挟持する２腕アーム部とを有しており、縦方向延在基部と２腕アーム部とは嵌合により連結されている。
【特許文献１】特開２００３−３１２６７２号公報
【発明の開示】
【発明が解決しようとする課題】
【０００４】
上記ボトルは把手を一体に形成せずに別体に形成しているため製作が容易であり、また、包装小箱などに収納する場合に把手を分解して一緒に収納することにより収納スペースも小さくなるという効果を発揮するものである。
【０００５】
本発明は、別体に形成した把手をボトルに固定しているため製作が容易であり、しかも把手自体の構造も極めてシンプルで、固定手段も同様であるため、更に製造コストの削減を図れる把手付きボトルを提案する。
【課題を解決するための手段】
【０００６】
本発明の把手付きボトルは、ボトルと、把手と、固定帯とを備えている。
【０００７】
ボルトは合成樹脂により形成されたもので、筒状胴部から縮径した口頸部を起立した形態のものが使用される。胴部の形状は筒状であれば円筒状であっても角柱状であっても、楕円筒状であってもよい。
【０００８】
把手は合成樹脂により形成された板状をなし、固定帯の窓孔に把持部を臨ませた状態で、或いは把持部を窓孔外方に膨出変形させた状態で、固定帯によりボトルに固定される。前者の場合にはボトル胴部の把持部位置に指挿通用の凹部を設ける必要があり、後者の場合には必ずしも必要はない。また、前者の場合にボトル胴部に凹設した上下一対の把手嵌合用の凹部に把手の上下端部を嵌合しても良く、後者の場合には把持部の上下端部に設けた係合突片を固定帯の上下端縁に係合させる。
【０００９】
固定帯は合成樹脂により形成されたもので、把手をボトルとの間に挟持固定させるためのものであり、ボトル胴部外周の所定位置に固定した帯状をなす。固定帯には窓孔を設けており、この窓孔を介して把手の把持部を掴む如く或いは、窓孔を介して把手の把持部を膨出変形させる。従って、窓孔と把持部は対応させ、また、窓孔と指挿通用の凹部とは対応させる。窓孔を介して把手の把持部を膨出変形させる場合には、保管時に例えば把手の上下端を引くことにより、或いは膨出部分を押し込むことにより、元の平板状に復元でき、スペースをとらない保管が行える。また、把手の弾性復元力を強める等して引きだした把手が自然に元の平板状にもどる如く構成しても良い。
【００１０】
固定帯のボトルへの固定手段としては、固定帯をシュリンクシート又はフィルムで形成し、所定の手段により収縮固定させるのが好ましく採用できるが、通常のフィルム或いはシートを用いて融着固定、接着固定することも可能である。その際にはシート又はフィルムが開環状のものを使用しても良い。
【００１１】
第１の手段として、以下の通り構成した。即ち、指挿通用の凹部４を備えた胴部２外周に、指挿通用の凹部４と窓孔30を対応させて固定した窓孔30付きの固定帯Ｃにより、窓孔30に把持部20を臨ませた状態で胴部２との間に板状の把手Ｂを固定してなる。
【００１２】
第２の手段として、以下の通り構成した。即ち、前記第１の手段に於いて、前記胴部２に凹設した上下一対の把手嵌合用の凹部５に把手Ｂの上下端部を嵌合した。
【００１３】
第３の手段として、以下の通り構成した。即ち、胴部２外周に固定した窓孔30付きの固定帯Ｃにより、窓孔30に把持部20を臨ませた状態でその上下端部を固定帯Ｃの上下端縁よりそれぞれ上下に突出して胴部２との間に板状の把手Ｂを固定し、把持部20を窓孔30外方に膨出変形させて把持部20上下端に設けた係合突片23をそれぞれ固定帯Ｃの上端縁及び下端縁に係合させた。
【００１４】
第４の手段として、以下の通り構成した。即ち、前記第３の手段に於いて、上記係合突片23を、上記把持部20の上下端部両側に一対突設し、固定帯Ｃの上端縁外面及び下端縁外面にそれぞれ係合する係合突片23として構成した。
【００１５】
第５の手段として、以下の通り構成した。即ち、前記第３の手段又は第４の手段のいずれかの手段に於いて、前記把持部20に折り曲げ用の屈折線24を設けた。
【００１６】
第６の手段として、以下の通り構成した。即ち、前記第１の手段乃至第５の手段のいずれかの手段に於いて、前記窓孔30が、前記固定帯Ｃに設けた易切断性の破断線31を押圧破断することにより形成される。
【００１７】
第７の手段として、以下の通り構成した。即ち、前記第６の手段に於いて、窓孔30対応位置のボトル胴部２に破断線開封用の凹部10を設けた。
【００１８】
第８の手段として、以下の通り構成した。即ち、前記第１の手段乃至第７の手段のいずれかの手段に於いて、前記固定帯Ｃがシュリンクシート又はフィルムで形成されてなる。
【発明の効果】
【００１９】
本発明の把手付きボトルは、板状の把手Ｂを窓孔30を備えた固定帯ＣによりボトルＡに固定するという簡単な構造であるため、製造が容易で安価に形成でき、しかも把手Ｂはしっかりとボトルに固定される。
【００２０】
胴部２に凹設した上下一対の把手嵌合用の凹部５に把手Ｂの上下端部を嵌合した場合には、ボトル胴部２と把手Ｂとの間に無駄な凹凸がなくなり、固定帯Ｃによる無理の無い固定が行えて外観が向上する。
【００２１】
胴部２外周に固定した窓孔30付きの固定帯Ｃにより、窓孔30に把持部20を臨ませた状態でその上下端部を固定帯Ｃの上下端縁よりそれぞれ上下に突出して胴部２との間に板状の把手Ｂを固定し、把持部20を窓孔30外方に膨出変形させて把持部20上下端に設けた係合突片23をそれぞれ固定帯Ｃの上端縁及び下端縁に係合させた場合にも、同様に製造が容易で安価に形成でき、しかも把手Ｂはしっかりとボトルに固定される。また、把手Ｂの把持部20が外方へ突出しているためより掴み易くなる。
【００２２】
上記把持部20の上下端部両側に一対突設し、固定帯Ｃの上端縁外面及び下端縁外面にそれぞれ係合する係合突片23を設けた場合には、把手の固定帯Ｃからの抜け出しをより確実に防止できる。
【００２３】
前記把持部20に折り曲げ用の屈折線24を設けた場合には、板状の把持部20を折り曲げ易く、また、一旦膨出変形した把持部20がもとに戻ろうとする力が働き難いため、固定帯Ｃに余分な負担が掛からずより耐久性が向上する。
【００２４】
前記窓孔30が、前記固定帯Ｃに設けた易切断性の破断線31を押圧破断することにより形成される場合には、開封前は窓孔30内部に埃等が付着するのを防止でき、また、出っ張らないので陳列，輸送時の効率が良く、開封も極めて簡単である。
【００２５】
窓孔30対応位置のボトル胴部２に破断線開封用の凹部10を設けた場合には、破断線31を容易に破断することができる。
【００２６】
前記固定帯Ｃがシュリンクシート又はフィルムで形成された場合には、ボトルＡと把手Ｂと固定帯Ｃの組み付けをより容易に行える利点がある。
【発明を実施するための最良の形態】
【００２７】
以下、本発明の実施例の形態を図面を参照して説明する。
【００２８】
図１及び図２は本発明把手付きボトルの一例を示し、図中１は把手付きボトルを示す。該把手付きボトル１は、ボトルＡと、把手Ｂと、固定帯Ｃとを備えている。
【００２９】
ボトルＡは合成樹脂により形成されたもので、四角筒状の胴部２の上面より縮径した口頸部３を起立し、口頸部３にはキャップＤを着脱可能に嵌合している。胴部２の前面には半円柱状の指挿通用の凹部４を凹設し、また、指挿通用の凹部４の上下には、把手嵌合用の凹部５をそれぞれ凹設している。上方の把手嵌合用の凹部５は、指挿通用の凹部４の上縁より上方位置に縦設した縦設凹部5aと、縦設凹部5a上端にボトル胴部２の外面に沿って環状の凹設した横設凹部5bとからなり、下方の把手嵌合用の凹部５は、指挿通用の凹部４の下縁より下方位置に縦設した縦設凹部5aと、縦設凹部5a下端にボトル胴部２の外面に沿って環状に凹設した横設凹部5bとから構成されている。また、本例では各横設凹部5bと所定幅をあけた位置間の幅広部分に突条形成用の凹部６を凹設してその上下に突条７をそれぞれ形成している。各突条７を設けることによりシュリンクフィルムで形成された固定帯Ｃの上下への抜け出しを確実に防止する如く構成している。
【００３０】
把手Ｂは合成樹脂により形成され、縦長帯状の把持部20の上下端縁よりそれぞれ横設凹部5bに嵌合させる横長帯状の嵌合部21を延設している。各嵌合部21はボトル胴部２の前面から両側面前部に至る横帯状をなしている。そして、上部の嵌合部21を上部の横設凹部5bに嵌合するとともに、把持部20の上端部を上部の縦設凹部5aに嵌合し、下部の嵌合部21を下部の横設凹部5bに嵌合するとともに、把持部20の下端部を下部の縦設凹部5aに嵌合して把手ＢをボトルＡに嵌合装着する。この際、把持部20が指挿通用の凹部４の中央部を縦断する。
【００３１】
固定帯Ｃは合成樹脂を材質としたシュリンクフィルムにより形成されたもので、ボトルＡに把手Ｂを嵌合後図２に示す如き所定形状に形成したフィルムをシュリンクして固定する。固定帯Ｃは窓孔30を備えており、窓孔30に把持可能に把持部20を臨ませた状態でボトル胴部２との間に把手Ｂを挟持固定している。窓孔30の大きさは把持部20を掴むのに充分な大きさがあれば良く、指挿通用の凹部４の開口部分と略同じ大きさに形成している。固定帯Ｃの上端縁は上部の横設凹部5bの上方に、下端縁は下部の横設凹部5bの下方にそれぞれ位置する如く構成している。
【００３２】
本例の場合には、指挿通用の凹部４に挿入してそのまま把持部20を掴みボトルＡを持つことができる。
【００３３】
図３は他の例を示し、図１の例に於いて、固定帯Ｃの所定位置に易切断性の破断線31を設けて該破断線を押圧破断することにより窓孔30を形成する如く構成している。本例の破断線31は、把持部20の両側で指挿通用の凹部４の幅にコの字状と逆コの字状の二つの破断線31を設けている。使用の際に各破断線31を押圧破断して一対の窓孔を開口して把持部20を掴むことができる。その他は図１の例と同様である。
【００３４】
図４乃至図６は更に他の例を示し、本例では四角筒状の胴部２を備えた合成樹脂製のボトルＡの上部に固定帯装着用の環状凹部８を周設している。
【００３５】
また、把手Ｂは合成樹脂製で、縦長帯状の把持部20の上下端縁より横長の支持板部22をそれぞれ延設し、各支持板部22両側端部よりそれぞれ一対の係合突片23を突設している。上部の係合突片23はそれぞれ下向きで先端部が前方へ突出し、下部の係合突片23はそれぞれ上向きで、先端部が前方へ突出している。把手Ｂの縦の長さは固定帯Ｃの上下幅より所定の長さ長く形成されている。
【００３６】
固定帯Ｃは合成樹脂を材質としたシュリンクフィルムで形成され、当初図６に示す如く、ボトルＡの固定帯装着用の環状凹部８の部分に把手Ｂをボトル胴部２との間に挟持固定して収縮固定させ、その際把手Ｂの上下端部が固定帯Ｃの上下端縁よりそれぞれ上下に突出している。次いで、窓孔30内の把持部20の中間部を外方へ膨出変形させて把手Ｂ上端部を下方へ、下端部を上方へそれぞれ移行させ、上部の各係合突片23が固定帯Ｃの上端縁外面に、下部の各係合突片23が固定帯Ｃの下端縁外面にそれぞれ係合して、図４に示す如く外方へ把持部20が突出した状態で把手Ｂが固定される。この場合には、把持部20の膨出した部分に指を挿入して把持部20を掴むことができる。その他の構成は実質的に図１と同様である。尚、この場合例えば把手Ｂの上下端部を引き戻して元の胴部２と平行の状態とすることにより、保管スペースをより効率良く得ることができる。
【００３７】
図７及び図８は更に他の例を示し、本例ではボトル胴部２の前面に縦長の把手装着用の凹部９を形成し、また、固定帯Ｃに対応する所定位置に破断線開封用の凹部10を凹設している。把手Ｂは、縦長板状の把持部20の上下端にそれぞれ外方へ突出した鉤型の係合突片23を突設している。また、把持部20には把持部20をそれぞれ横断して、薄肉に形成した四本の折り曲げ用の屈折線24を設けている。
【００３８】
固定帯Ｃは合成樹脂を材質としたシュリンクフィルムで形成され、当初図８に示す如く、把手Ｂを把手装着用の凹部９内に収納した状態でボトルＡ外周に収縮固定させており、その際把手Ｂの上下端部が固定帯Ｃの上下端縁よりそれぞれ上下に突出している。また、窓孔30は薄肉の破断線31で囲成された部分を、破断線31を押圧破断することにより除去して開口する如く構成している。破断線31の押圧破断に際しては破断線開封用の凹部10部分を押圧してコーナ部分の破断線31を破断し、その部分を掴んで開封することができる。次いで、窓孔30内の把持部20の外方へ引出して各屈折線24を屈折させて中間部を外方へ膨出変形させて把手Ｂ上端部を下方へ、下端部を上方へそれぞれ移行させ、上部の各係合突片23が固定帯Ｃの上端縁外面に、下部の各係合突片23が固定帯Ｃの下端縁外面にそれぞれ係合して、図７に示す如く外方へ把持部20が突出した状態で把手Ｂが固定される。この場合には、把持部20の膨出した部分に指を挿入して把持部20を掴むことができる。この場合も把手Ｂの上下端を引くことにより保管スペースをより効率良く得ることができる。その他の構成は実質的に図１と同様である。
【図面の簡単な説明】
【００３９】
【図１】本発明把手付きボトルの斜視図である。（実施例１）
【図２】本発明把手付きボトルの分解斜視図である。（実施例１）
【図３】本発明把手付きボトルの斜視図である。（実施例２）
【図４】本発明把手付きボトルの斜視図である。（実施例３）
【図５】本発明把手付きボトルの分解斜視図である。（実施例３）
【図６】本発明把手付きボトルの組み立て途中の斜視図である。（実施例３）
【図７】本発明把手付きボトルの斜視図である。（実施例４）
【図８】本発明把手付きボトルの組み立て途中の斜視図である。（実施例４）
【符号の説明】
【００４０】
１…把手付きボトル
Ａ…ボトル
２…胴部，３…口頸部，４…指挿通用の凹部，５…把手嵌合用の凹部，
5a…縦設凹部，5b…横設凹部，６…突条形成用の凹部，７…突条，
８…固定帯装着用の環状凹部，９…把手装着用の凹部，10…破断線開封用の凹部，    Ｂ…把手
20…把持部，21…嵌合部，22…支持板部，23…係合突片，24…屈折線，
Ｃ…固定帯
30…窓孔，31…破断線
Ｄ…キャップ
【図１】
2008081200.tif 000003
【図２】
2008081200.tif 000004
【図３】
2008081200.tif 000005
【図４】
2008081200.tif 000006
【図５】
2008081200.tif 000007
【図６】
2008081200.tif 000008
【図７】
2008081200.tif 000009
【図８】
2008081200.tif 000010